(57)【特許請求の範囲】
【請求項１】
２本の平行に配置された駆動ドラムの対向部間上にウエブ巻取り用コアを供給し、そのコアを前記駆動ドラムとの接触により回転させて一方向に走行するウエブをロール状に巻取り、所定の巻径に達したウエブロールを一方の駆動ドラム側に設けられた作業台上に取り出すようにしたワインダにおいて、前記一方の駆動ドラムと対向する前記作業台の先端部の上面に、駆動ドラムの軸方向に延びる帯状体を設け、その帯状体が柔軟性を有するチューブから成り、ウエブの巻取り作業時に前記チューブ内に圧縮エアを供給して膨張させ、ウエブロールの取り出し時にチューブ内のエアを排気して扁平状に収縮させるようにし
たワインダ。
【発明の詳細な説明】
【技術分野】
【０００１】
この発明は、２本の平行に配置された駆動ドラムとの接触によりウエブ巻取り用のコアを回転させてウエブを巻取るようにしたワインダに関するものである。
【背景技術】
【０００２】
２本の平行に配置された駆動ドラム上にコアを供給し、各駆動ドラムの同一方向への回転によりコアを接触回転させて一方向に走行するウエブを巻取るようにしたワインダは従来から知られている。
【０００３】
上記のような２ドラムサーフェスタイプのワインダにおいては、普通、２本の駆動ドラムの一方である下流側駆動ドラム側に作業台を設け、その作業台上においてウエブの通紙時に、そのウエブの先端を摘んでコアの外周に沿わせたり、あるいはウエブの切断によって駆動ドラムの対向部間上で発生する損紙を取り除いたりする等の作業を行なうようにしている。
【０００４】
また、ウエブの巻取りによって形成されるウエブロールの巻径が所定の巻径に達した場合に、そのウエブロールを２本の駆動ドラムの対向部間から作業台上に取り出し、その作業台の上面に沿って転動させて所定の位置に排出させるようにしている。
【発明の開示】
【発明が解決しようとする課題】
【０００５】
ところで、従来のワインダにおいては、作業台の上面に沿ってウエブを転動させる必要があるため、作業台の上面を平坦面としている。このため、作業台上において作業を行なう際に、下流側の駆動ドラム上に誤って足を乗せ、その足が駆動ロールとウエブロール間に引き込まれてつま先が挟み込まれる危険があった。
【０００６】
この発明の課題は、駆動ドラム上に誤って足が乗るのを防止することができるようにした安全性に優れたワインダを提供することである。
【課題を解決するための手段】
【０００７】
上記の課題を解決するために、この発明においては、２本の平行に配置された駆動ドラムの対向部間上にウエブ巻取り用コアを供給し、そのコアを前記駆動ドラムとの接触により回転させて一方向に走行するウエブをロール状に巻取り、所定の巻径に達したウエブロールを一方の駆動ドラム側に設けられた作業台上に取り出すようにしたワインダにおいて、前記一方の駆動ドラムと対向する前記作業台の先端部の上面に、駆動ドラムの軸方向に延びる帯状体を設け、その帯状体が柔軟性を有するチューブから成り、ウエブの巻取り作業時に前記チューブ内に圧縮エアを供給して膨張させ、ウエブロールの取り出し時にチューブ内のエアを排気して扁平状に収縮させるようにした構成を採用したのである。
【発明の効果】
【００１０】
上記のように、この発明においては、作業台の先端部上面に帯状体を設けたことによって、作業台の先端部上で作業を行なう際に、足下が危険である旨の注意を促すことができ、その注意の喚起によって駆動ドラム上に足が乗せられるのを防止し、安全性を高めることができる。
【００１１】
また、足下に注意を喚起する喚起対象物が帯状体であるため、２本の駆動ドラムの対向部間上より作業台上に取り出されたウエブロールの転動を阻害することもなく、上記ウエブロールを作業台の上面に沿ってスムーズに転動、排出させることができる。
【００１２】
上記のような帯状体の数は任意であり、複数の帯状体を所要の間隔をおいて複列に設けることによって、注意喚起の効果をより高めることができる。
【００１３】
さらに、帯状体として柔軟性を有するチューブを採用し、ウエブの巻取り作業時に、そのチューブ内に圧縮エアを供給して膨張させることにより、上記チューブが作業者の足の駆動ドラム側への移動を阻止するストッパとしての機能を発揮するため、安全性をさらに向上させることができる。
【００１４】
また、チューブ内のエアを排気すると、チューブは扁平の状態となるため、作業台上に取り出されたウエブロールの転動を阻害することもなく、上記ウエブロールをスムーズに転動、排出することができる。
【発明を実施するための最良の形態】
【００１７】
以下、この発明の実施の形態を図面に基づいて説明する。図１乃至図３はこの発明に係るワインダの第１の実施形態を示す。図示のように、２本の平行に配置された駆動ドラム１ａ、１ｂは図１の矢印で示す方向に回転される。
【００１８】
２本の駆動ドラム１ａ、１ｂの対向部間上にはコアＣが供給され、そのコアＣは駆動ドラム１ａ、１ｂとの接触により回転して図１の矢印方向に走行するウエブＷをロール状に巻取るようになっている。そのウエブＷの巻取りによってウエブロールＲが形成され、所定の巻径に達したウエブロールＲは一方の下流側駆動ドラム１ｂの外周上部に先端部が臨む作業台２上に取り出され、その作業台２の上面に沿って転動されて所定の位置に排出される。
【００１９】
作業台２上では、ウエブＷの通紙時に、そのウエブＷの先端を摘んでコアＣの外周に沿わせたり、ウエブＷの切断により２本の駆動ドラム１ａ、１ｂの対向部間上で発生する損紙を取り除いたりする等の作業が行なわれる。この作業台２の先端部上面には帯状体としての柔軟なチューブ３が設けられている。
【００２０】
チューブ３は下流側駆動ドラム１ｂとほぼ平行するよう設けられて、その両端部は下流側駆動ドラム１ｂの両端面より外側方に位置している。
【００２１】
チューブ３はウエブＷの巻取り作業時に圧縮エアの供給によって膨張状態とされる。また、ウエブロールＲの取り出し時には内部のエアが排気され、その排気によって扁平な状態とされる。
【００２２】
上記のように、作業台２の先端部上面に帯状体としてのチューブ３を設け、ウエブＷの巻取り作業時に、そのチューブ３内に圧縮エアを供給してチューブ３を膨張させることにより、作業台２上での作業の際に、上記チューブ３が作業者の足の駆動ドラム１ｂ側への移動を阻止するストッパとしての機能を発揮するため、駆動ドラム１ｂ上に足が乗せられてその駆動ドラム１ｂとウェブロールＲ間に引き込まれるというトラブルの発生を未然に防止することができ、安全性を高めることができる。
【００２３】
また、チューブ３内のエアを排気すると、そのチューブ３は収縮して扁平状とされるため、２本の駆動ドラム１ａ、１ｂの対向部間上より作動台２上に取り出されたウエブロールＲの転動を阻害することもなく、上記ウエブロールＲを作業台２の上面に沿って排出位置にスムーズに転動させることができる。
【００２４】
なお、第１の実施形態では、帯状体としてチューブ３を示したが、帯状体はチューブ３に限定されるものではない。例えば、幅広のテープを帯状体としてもよい。
【００２５】
テープから成る帯状体の場合、そのテープの存在によって足下が危険であることの注意を喚起させることができるため、作業台２上での作業が注意深くなり、駆動ドラム１ｂ上に足が乗せられてその駆動ドラム１ｂとウェブロールＲ間に引き込まれるというトラブルの発生を未然に防止することができる。
【００２６】
また、作業台２上に取り出されたウエブロールＲを作業台２の上面に沿って排出位置までスムーズに転動させることができる。
【図面の簡単な説明】
【００３０】
【図１】この発明に係るワインダの第１の実施形態を示す縦断正面図
【図２】図１の平面図
【図３】図１の一部分を拡大して示す断面図
【符号の説明】
【００３１】
１ａ、１ｂ  駆動ドラム
２          作業台
３          チューブ
【図１】
0004255410.tif 000002
【図２】
0004255410.tif 000003
【図３】
0004255410.tif 000004